(57)【特許請求の範囲】
【請求項１】
第１記憶部と、
所定の録画時間に含まれる連続する複数の番組を、当該番組に関する関係情報と共に受信する放送受信部と、
前記放送受信部により受信した前記複数の番組と、前記関係情報を記憶する第２記憶部と、
前記第２記憶部に記憶された前記複数の番組の各々を、前記関係情報に基づいて一つの番組データとして分割する分割部と、
前記関係情報に基づいて、前記分割部により分割した各番組データの番組録画時間を取得する取得部と、
分割後の一つの番組データの番組録画時間が、当該番組データに対応する番組の放送時間に対する所定割合の時間以上か否かを判定する判定部と、
前記判定部により、前記分割後の一つの番組データの番組録画時間が前記番組の放送時間に対する所定割合の時間以上と判定された場合に、前記分割後の一つの番組データを一つの録画データとして前記第１記憶部に記憶する記憶制御部と、を備えることを特徴とする番組録画装置。
【請求項２】
第１記憶部と、
所定の録画時間に含まれる連続する複数の番組を、当該番組に関する関係情報と共に受信する放送受信部と、
前記放送受信部により受信した前記複数の番組と、前記関係情報を記憶する第２記憶部と、
前記第２記憶部に記憶された前記複数の番組の各々を、前記関係情報に基づいて一つの番組データとして分割する分割部と、
前記関係情報に基づいて、前記分割部により分割した各番組データの番組録画時間を取得する取得部と、
前記取得部により取得した前記番組録画時間が所定の最小録画時間以上となる分割後の番組データを、一つの録画データとして設定する設定部と、
前記設定部により設定された前記一つの録画データを前記第１記憶部に記憶する記憶制御部と、を備えることを特徴とする番組録画装置。
【請求項３】
第１記憶部と、
所定の録画時間に含まれる連続する複数の番組を、当該番組に関する関係情報と共に受信する放送受信部と、
前記放送受信部により受信した前記複数の番組と、前記関係情報を記憶する第２記憶部と、
前記第２記憶部に記憶された前記複数の番組の各々を、前記関係情報に基づいて一つの番組データとして分割する分割部と、
前記関係情報に基づいて、前記分割部により分割した各番組データの番組録画時間を取得する取得部と、
前記取得部により取得した前記番組録画時間が所定の最小録画時間未満となる番組データを、他の番組データと結合させて一つの録画データとする結合部と、
前記結合部により結合された前記一つの録画データを前記第１記憶部に記憶する記憶制御部と、を備えることを特徴とする番組録画装置。
【請求項４】
第１記憶部と、
所定の録画時間に含まれる連続する複数の番組を、当該番組に関する関係情報と共に受信する放送受信部と、
前記放送受信部により受信した前記複数の番組と、前記関係情報を記憶する第２記憶部と、
前記第２記憶部に記憶された前記複数の番組の各々を、前記関係情報に基づいて一つの番組データとして分割する分割部と、
前記関係情報に基づいて、前記分割部により分割した各番組データの番組録画時間を取得する取得部と、
前記取得部により取得した前記番組録画時間が所定の最小録画時間未満となる番組データを削除する削除部と、を備えることを特徴とする番組録画装置。
【請求項５】
前記複数の番組は、コピーワンスの番組と、ダビング１０の番組とを含むことを特徴とする請求項１から４のいずれか１項に記載の番組録画装置。
【請求項６】
請求項１から５のいずれか１項に記載の番組録画装置と、
所定の番組の録画予約を行う予約部と、
前記予約部により行われた前記録画予約についての情報を登録可能なカレンダを記憶する第３記憶部と、
前記カレンダに登録された前記録画予約についての前記情報に基づいて、前記番組録画装置の前記放送受信部を動作させる受信制御部と、を備えることを特徴とする携帯端末。
【請求項７】
所定の録画時間に含まれる連続する複数の番組を、当該番組に関する関係情報と共に受信する工程と、
受信した前記複数の番組と前記関係情報とを記憶する工程と、
記憶した前記複数の番組の各々を、前記関係情報に基づいて一つの番組データとして分割する工程と、
前記関係情報に基づいて、分割した各番組データの番組録画時間を取得する工程と、
分割後の一つの番組データの番組録画時間が、当該番組データに対応する番組の放送時間に対する所定割合の時間以上か否かを判定する工程と、
前記分割後の一つの番組データの番組録画時間が前記番組の放送時間に対する所定割合の時間以上と判定された場合に、前記分割後の一つの番組データを一つの録画データとして記憶する工程と、を含むことを特徴とする番組録画方法。
【発明の詳細な説明】
【技術分野】
【０００１】
本発明は、受信した番組を録画する番組録画装置、携帯端末及び番組録画方法に関する。
【背景技術】
【０００２】
受信した番組を録画する番組録画装置には、ユーザが番組の視聴中に手動で録画開始及び録画終了の操作を行うマニュアル録画と、ユーザが予め録画をしたい番組の録画設定（放送局、録画開始時間及び録画終了時間等の設定等）の操作を行うマニュアル予約録画とが行われるものがある（例えば、特許文献１を参照）。録画開始時刻（録画開始操作を行った時）又は録画終了時間（録画終了操作を行った時）がそれぞれ録画対象番組の開始以前又は録画対象番組の終了以降であった場合、一つの録画データには、録画を希望する録画対象番組と共に、録画対象番組の開始以前に放送されていた番組又は録画対象番組の終了以降に放送されていた番組が記録される。
【先行技術文献】
【特許文献】
【０００３】
【特許文献１】特開２００５−１９７８２８号公報
【発明の概要】
【発明が解決しようとする課題】
【０００４】
上述したように、一つの録画データの中に複数の番組が記録されることにより、録画対象番組が録画データの先頭に記録されていない場合には、録画データの中から録画対象番組を探し出すのに手間がかかり、その後の録画データの編集を行い難いという問題がある。
【０００５】
本発明は、複数の番組をまたいで録画される場合において、一定条件下に、一つの番組であると確認されたデータを一つの録画データとして記録する番組録画装置、携帯端末及び番組録画方法を提供することを目的とする。
【課題を解決するための手段】
【０００６】
本発明に係る番組録画装置は、第１記憶部と、所定の録画時間に含まれる連続する複数の番組を、当該番組に関する関係情報と共に受信する放送受信部と、前記放送受信部により受信した前記複数の番組と、前記関係情報を記憶する第２記憶部と、前記第２記憶部に記憶された前記複数の番組の各々を、前記関係情報に基づいて一つの番組データとして分割する分割部と、前記関係情報に基づいて、前記分割部により分割した各番組データの番組録画時間を取得する取得部と、分割後の一つの番組データの番組録画時間が、当該番組データに対応する番組の放送時間に対する所定割合の時間以上か否かを判定する判定部と、前記判定部により、前記分割後の一つの番組データの番組録画時間が前記番組の放送時間に対する所定割合の時間以上と判定された場合に、前記分割後の一つの番組データを一つの録画データとして前記第１記憶部に記憶する記憶制御部と、を備えることを特徴とする。
【０００７】
また、本発明に係る番組録画装置は、第１記憶部と、所定の録画時間に含まれる連続する複数の番組を、当該番組に関する関係情報と共に受信する放送受信部と、前記放送受信部により受信した前記複数の番組と、前記関係情報を記憶する第２記憶部と、前記第２記憶部に記憶された前記複数の番組の各々を、前記関係情報に基づいて一つの番組データとして分割する分割部と、前記関係情報に基づいて、前記分割部により分割した各番組データの番組録画時間を取得する取得部と、前記取得部により取得した前記番組録画時間が所定の最小録画時間以上となる分割後の番組データを、一つの録画データとして設定する設定部と、前記設定部により設定された前記一つの録画データを前記第１記憶部に記憶する記憶制御部と、を備えることを特徴とする。
【０００８】
また、本発明に係る番組録画装置は、第１記憶部と、所定の録画時間に含まれる連続する複数の番組を、当該番組に関する関係情報と共に受信する放送受信部と、前記放送受信部により受信した前記複数の番組と、前記関係情報を記憶する第２記憶部と、前記第２記憶部に記憶された前記複数の番組の各々を、前記関係情報に基づいて一つの番組データとして分割する分割部と、前記関係情報に基づいて、前記分割部により分割した各番組データの番組録画時間を取得する取得部と、前記取得部により取得した前記番組録画時間が所定の最小録画時間未満となる番組データを、他の番組データと結合させて一つの録画データとする結合部と、前記結合部により結合された前記一つの録画データを前記第１記憶部に記憶する記憶制御部と、を備えることを特徴とする。
【０００９】
また、本発明に係る番組録画装置は、第１記憶部と、所定の録画時間に含まれる連続する複数の番組を、当該番組に関する関係情報と共に受信する放送受信部と、前記放送受信部により受信した前記複数の番組と、前記関係情報を記憶する第２記憶部と、前記第２記憶部に記憶された前記複数の番組の各々を、前記関係情報に基づいて一つの番組データとして分割する分割部と、前記関係情報に基づいて、前記分割部により分割した各番組データの番組録画時間を取得する取得部と、前記取得部により取得した前記番組録画時間が所定の最小録画時間未満となる番組データを削除する削除部と、を備えることを特徴とする。
【００１０】
また、前記複数の番組は、コピーワンスの番組と、ダビング１０の番組とを含むことが好ましい。
【００１１】
また、本発明の携帯端末は、上述したいずれかの番組録画装置と、所定の番組の録画予約を行う予約部と、前記予約部により行われた前記録画予約についての情報を登録可能なカレンダを記憶する第３記憶部と、前記カレンダに登録された前記録画予約についての前記情報に基づいて、前記番組録画装置の前記放送受信部を動作させる受信制御部と、を備えることを特徴とする。
【００１２】
また本発明の番組録画方法は、所定の録画時間に含まれる連続する複数の番組を、当該番組に関する関係情報と共に受信する工程と、受信した前記複数の番組と前記関係情報とを記憶する工程と、記憶した前記複数の番組の各々を、前記関係情報に基づいて一つの番組データとして分割する工程と、前記関係情報に基づいて、分割した各番組データの番組録画時間を取得する工程と、分割後の一つの番組データの番組録画時間が、当該番組データに対応する番組の放送時間に対する所定割合の時間以上か否かを判定する工程と、前記分割後の一つの番組データの番組録画時間が前記番組の放送時間に対する所定割合の時間以上と判定された場合に、前記分割後の一つの番組データを一つの録画データとして記憶する工程と、を含むことを特徴とする。
【発明の効果】
【００１３】
本発明によれば、複数の番組をまたいで録画される場合において、一定条件下に、一つの番組であると確認されたデータを一つの録画データとして記録することができる。
【図面の簡単な説明】
【００１４】
【図１】携帯端末の一実施形態としての携帯電話機の外観斜視図である。
【図２】携帯電話機の機能構成を示すブロック図である。
【図３】携帯電話機が機能を発揮するための構成を示す機能ブロック図である。
【図４】録画スケジュールを説明する図である。
【図５】マニュアル予約録画を行う場合の録画データ生成パターンを説明する図である。
【図６】マニュアル予約録画を行う場合の携帯電話機の動作を示すフローチャートである。
【図７】マニュアル録画を行う場合の録画データ生成パターンを説明する図である。
【図８】マニュアル録画を行う場合の携帯電話機の動作を示すフローチャートである。
【発明を実施するための形態】
【００１５】
以下、本発明を実施するための好ましい実施形態について、図面を参照しながら説明する。まず、本発明に係る携帯端末の一実施形態としての携帯電話機１の基本構造について、図１を参照しながら説明する。
図１は、携帯端末の一実施形態としての携帯電話機１の外観斜視図である。
【００１６】
携帯電話機１は、筐体としての操作部側筐体２と、表示部側筐体３と、操作部側筐体２と表示部側筐体３とを連結するヒンジ機構４と、を備える。
操作部側筐体２は、前面１０に、操作部１１及びマイク１２を備えて構成される。操作部側筐体２の前面１０は、携帯電話機１を折り畳んだ状態で表示部側筐体３と向かい合う面である。
操作部１１は、各種設定機能や辞書機能やメール機能等の各種機能を作動させるための機能設定操作キー１３と、数字や文字を入力するための入力操作キー１４と、各種操作における決定やスクロール等を行う決定操作キー１５と、から構成されている。
マイク１２は、携帯電話機１の使用者が通話時に発した音声を入力するために用いられる。
【００１７】
表示部側筐体３は、前面２０に、表示部２１とレシーバ２２と、を備えて構成される。表示部側筐体３の前面２０は、携帯電話機１を折り畳んだ状態で操作部側筐体２と向かい合う面である。
表示部２１は、通話の相手側の電話番号やメールアドレス、及びメールの内容等の各種情報（文字情報や画像情報）を表示する。レシーバ２２は、通話の相手側の音声を出力する。
また、表示部側筐体３の側面には、スピーカ２４（図２参照）が設けられている。スピーカ２４は、携帯電話機１への着信を知らせる音声等を出力する。
【００１８】
ヒンジ機構４は、操作部側筐体２と表示部側筐体３とが相対的に動くようにこれらを連結している。携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００１９】
なお、図１は、いわゆる折り畳み式の携帯電話機１を挙げているが、携帯電話機としては、特にこれに限らない。すなわち、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、さらには、操作部側筐体と表示部側筐体とが一つの筐体に配置されたもの（いわゆる、ストレートタイプ）であってもよい。
【００２０】
次に、図２を参照しながら、携帯電話機１の機能構成について説明する。
図２は、携帯電話機１の機能構成を示すブロック図である。携帯電話機１は、操作部１１と、マイク１２と、通信部４１と、画像処理部４２と、音声処理部４３と、記憶部４４と、制御部４５と、放送受信部４６と、を操作部側筐体２に備え、表示部２１と、レシーバ２２と、スピーカ２４と、ドライバＩＣ２３と、を表示部側筐体３に備えている。
【００２１】
通信部４１は、メインアンテナ４１１とＲＦ回路部４１２とを備えて構成され、所定の通信先と通信を行う。通信部４１が通信を行う通信先としては、携帯電話機１と電話やメールの送受信を行う外部の端末装置や、携帯電話機１がインターネットの接続を行う外部のｗｅｂサーバ等の外部装置が挙げられる。
【００２２】
メインアンテナ４１１は、所定の使用周波数帯で外部装置と通信を行う。
ＲＦ回路部４１２は、メインアンテナ４１１によって受信した信号を復調処理し、処理後の信号を制御部４５に供給する。また、ＲＦ回路部４１２は、制御部４５から供給された信号を変調処理し、メインアンテナ４１１を介して外部装置（基地局）に送信する。
【００２３】
画像処理部４２は、制御部４５の制御にしたがって、所定の画像処理を行い、処理後の画像データをドライバＩＣ２３に出力する。ドライバＩＣ２３は、画像処理部４２から供給された画像データをフレームメモリ（図示せず）に蓄え、所定のタイミングで表示部２１に出力する。
【００２４】
音声処理部４３は、制御部４５の制御にしたがって、ＲＦ回路部４１２から供給された信号に対して所定の音声処理を行い、処理後の信号をレシーバ２２やスピーカ２４に出力する。レシーバ２２及びスピーカ２４は、音声処理部４３から供給された信号を外部に出力する。
【００２５】
また、音声処理部４３は、制御部４５の制御にしたがって、マイク１２から入力された信号を処理し、処理後の信号をＲＦ回路部４１２に出力する。ＲＦ回路部４１２は、音声処理部４３から供給された信号に所定の処理を行い、処理後の信号をメインアンテナ４１１に供給し、メインアンテナ４１１により電波として外部に出力させる。
【００２６】
記憶部４４は、例えば、ワーキングメモリを含み、制御部４５による演算処理に利用される。また、記憶部４４には、携帯電話機１上で動作する様々なアプリケーションが利用するデータやテーブル等が格納されている。
なお、記憶部４４は、着脱可能な外部メモリであってもよい。
【００２７】
放送受信部４６は、テレビジョン用アンテナ４６１と、テレビジョン用アンテナ４６１によって受信した放送波を処理するチューナ４６２と、を備えて構成される。
チューナ４６２は、所定方式により変調・圧縮処理されたデジタル放送信号を受信し、受信したデジタル放送信号に基づいて、放送局が送り出したＴＳ（Ｔｒａｎｓｐｏｒｔ  Ｓｔｒｅａｍ）パケットの復元処理を行う。
【００２８】
制御部４５は、携帯電話機１の全体を制御しており、通信部４１、画像処理部４２、表示部２１、音声処理部４３、放送受信部４６に対して所定の制御を行う。制御部４５の具体的な構成については後述する。
【００２９】
このように構成される携帯電話機１は、一つの番組を一つの録画データとして記録する機能を有する。
【００３０】
以下に、携帯電話機１に係る上記機能を発揮するための構成と動作について詳述する。
先ず、本実施形態に係る携帯電話機１の上記機能を発揮するための構成について、図３を参照しながら説明する。図３は、携帯電話機１が上記機能を発揮するための構成を示す機能ブロック図である。
【００３１】
携帯電話機１は、番組録画装置として、放送受信部４６と、分割部４５ａと、取得部４５ｂと、判定部４５ｃと、記憶制御部４５ｄと、第１記憶部４４ａと、第２記憶部４４ｂとを備える。
放送受信部４６は、所定の録画時間に含まれる連続する複数の番組を、当該番組に関する関係情報と共に受信する。放送受信部４６は、携帯電話機１が放送局から番組を受信する場合、放送局から送出される放送波に含まれる、番組に関する関係情報を取得する。関係情報の具体例としては、放送される番組毎の識別情報（ＩＤ）、放送日時や番組名や出演者等の情報を記述するＥＩＴ（Ｅｖｅｎｔ  Ｉｎｆｏｒｍａｔｉｏｎ  Ｔａｂｌｅ）、日本標準時刻及び日付情報を記述するＴＯＴ（Ｔｉｍｅ  Ｏｆｆｓｅｔ  Ｔａｂｌｅ）等である。ＥＩＴには、現在放送中である番組のＥＩＴ（ｐｒｅｓｅｎｔ  ＥＩＴ（ＥＩＴ［ｐ］））と、現在放送中である番組の次番組のＥＩＴ（ｆｏｌｌｏｗｉｎｇ  ＥＩＴ（ＥＩＴ［ｆ］））とが含まれる。
【００３２】
第２記憶部４４ｂは、記憶部４４の一部を構成する。第２記憶部４４ｂは、放送受信部４６により受信した複数の番組と、この番組に関する関係情報とを記憶する。
【００３３】
分割部４５ａは、第２記憶部４４ｂに記憶された複数の番組の各々を、関係情報に基づいて一つの番組データとして分割する。すなわち、分割部４５ａは、時間的に連続する複数の番組と、それらの番組に関する関連情報とが第２記憶部４４ｂから供給された場合、例えば、番組毎に付加されているＩＤやＥＩＴ等に基づいて、時間的に連続する複数の番組を１つの番組毎に分割する。
【００３４】
取得部４５ｂは、関係情報に基づいて、分割部４５ａにより分割した各番組データの番組録画時間を取得する。すなわち、取得部４５ｂは、ＴＯＴから取得した現在時間と、現在放送中の番組のＥＩＴ［ｐ］から取得した放送終了時間とから放送中の番組における残りの番組録画時間を算出する。
【００３５】
判定部４５ｃは、分割後の一つの番組データの番組録画時間が、当該番組データに対応する番組の放送時間に対する所定割合の時間以上か否かを判定する。すなわち、判定部４５ｃは、ＥＩＴ［ｐ］から番組の放送時間を取得し、番組の番組録画時間が当該番組の放送時間に対する所定割合の時間以上であるかを判定する。所定割合は、携帯電話機１のユーザにより適宜設定される。例えば、所定割合として１割が設定され、番組の放送時間が１時間の場合、判定部４５ｃは、番組の番組録画時間が６分以上（番組の放送時間（１時間）に対する所定割合（１割）以上）であるか否を判定する。
【００３６】
第１記憶部４４ａは、記憶部４４の一部を構成する。
記憶制御部４５ｄは、判定部４５ｃにより、分割後の一つの番組データの番組録画時間が番組の放送時間に対する所定割合の時間以上と判定された場合に、分割後の一つの番組データを一つの録画データとして第１記憶部４４ａに記憶する。
【００３７】
したがって、携帯電話機１は、複数の番組をまたいで録画される場合において、一定条件下に、一つの番組であると確認されたデータを一つの録画データとして記録することができる。
また、携帯電話機１は、番組をまたぐような録画を行った場合（複数の番組が連続して録画される場合）でも番組毎に録画データが作成されるため、従来技術の番組録画装置により録画された録画データのように、視聴したい番組まで早送りする等の操作を行う必要がなく、視聴したい番組を簡単に見ることが可能となる。また、携帯電話機１は、録画データが番組毎に作成されるため、録画されている番組のリストの確認を容易に行うことができる。
【００３８】
携帯電話機１は、番組録画装置を構成する設定部４５ｅをさらに備える。
設定部４５ｅは、取得部４５ｂにより取得した番組録画時間が所定の最小録画時間以上となる分割後の番組データを、一つの録画データとして設定する。例えば、所定の最小録画時間として１時間が設定されている場合、設定部４５ｅは、番組の番組録画時間が１時間以上であれば、その番組のデータを一つの録画データとして設定する。
記憶制御部４５ｄは、設定部４５ｅにより設定された一つの録画データを第１記憶部４４ａに記憶する。
したがって、携帯電話機１は、複数の番組をまたいで録画される場合において、一定条件下に、一つの番組であると確認されたデータを一つの録画データとして記録することができる。
【００３９】
携帯電話機１は、番組録画装置を構成する結合部４５ｆをさらに備える。
結合部４５ｆは、取得部４５ｂにより取得した番組録画時間が所定の最小録画時間未満となる番組データを、他の番組データと結合させて一つの録画データとする。例えば、所定の録画予約設定に基づいて第１番組の全て及び第２番組の一部が録画され、さらに第２番組の番組録画時間が所定の最小録画時間未満となる場合、結合部４５ｆは、第１番組のデータと第２番組のデータとを結合させて１つの録画データとする。
したがって、携帯電話機１は、結合部４５ｆにより不要な番組データを他の番組データに結合させることにより、不要な録画データが作成されることを回避することができる。
【００４０】
なお、結合部４５ｆは、番組データを他の番組データに結合させる場合、番組データを、この番組データの直前又は直後に存在すると共に、一つの録画データとして第１記憶部４４ａに記憶される他の番組データに結合させてもよい。この場合、結合部４５ｆは、他の番組データに含まれるＥＩＴから番組名を取得し、取得した番組名を録画データのファイル名として設定してもよい。これにより、一つの録画データの中に、番組データ及び他の番組データがこの順に記録される場合でも、他の番組データのＥＩＴに基づいて録画データのファイル名が設定されるので、携帯電話機１を利用するユーザは、録画データのファイル名を見るだけで直ぐに他の番組データが記録されていることを確認することができる。
【００４１】
また、結合部４５ｆは、番組データを他の番組データに結合させる場合、番組データと他の番組データとの間に、データの結合部分を表すインデックス情報を付加してもよい。これにより、携帯電話機１を利用するユーザは、番組データ又は他の番組データを探し出すのに手間がかかることがない。
【００４２】
携帯電話機１は、番組録画装置を構成する削除部４５ｇをさらに備える。
削除部４５ｇは、取得部４５ｂにより取得した番組録画時間が所定の最小録画時間未満となる番組データを削除する。
したがって、携帯電話機１は、不要な番組データを削除するので、不要な録画データが作成されることを回避することができる。また、携帯電話機１は、第１記憶部４４ａの空き容量を確保することができ、さらに録画時に第１記憶部４４ａの空き容量が少ないために録画に失敗するという現象を発生し難くすることができる。
【００４３】
また、上述した複数の番組は、コピーワンスの番組と、ダビング１０の番組とを含む。ここで、コピーワンスの番組とは、第１記憶部４４ａに記憶されている録画データを、１回だけ、光ディスク等の他の記録媒体に移動することができる番組のことをいう。ダビング１０の番組とは、第１記憶部４４ａに記憶されている録画データを、光ディスク等の他の記録媒体に対して、９回のコピーと１回の移動とを行うことができる番組のことをいう。
【００４４】
なお、従来技術の番組録画装置により録画された録画データにおいて、一つの録画データの中にコピーワンスの番組とダビング１０の番組とが含まれている場合、その録画データに含まれる全ての番組は、著作権保護の観点から、コピーワンスの番組として扱われる。
【００４５】
この点、携帯電話機１は、複数の番組をまたぐような録画を行った場合でも、番組毎に録画データを作成するため、一つの録画データに複数の番組が含まれることによって、ダビング１０の番組までコピーワンスの番組として扱われることを防ぐことができる。
なお、複数の番組は、コピーワンスの番組やダビング１０の番組以外の番組（他のコピー制御が設定されている番組）を含んでもよい。
【００４６】
携帯電話機１は、予約部４５ｈと、第３記憶部４４ｃと、受信制御部４５ｉとを備える。
予約部４５ｈは、所定の番組の録画予約を行う。具体的には、予約部４５ｈは、録画開始時間、録画終了時間及び番組を放送するチャンネル等が入力されることにより、所定の番組の録画予約を行う。
【００４７】
第３記憶部４４ｃは、予約部４５ｈにより行われた録画予約についての情報を登録可能なカレンダを記憶する。すなわち、予約部４５ｈにより所定の番組の録画予約が行われた場合、記憶制御部４５ｄは、第３記憶部４４ｃに記憶されているカレンダに対して、録画予約された番組を登録する。
【００４８】
受信制御部４５ｉは、カレンダに登録された録画予約についての情報に基づいて、番組録画装置の放送受信部４６を動作させる。すなわち、受信制御部４５ｉは、携帯電話機１の内部において計時を行っている時刻が、カレンダに登録されている録画予約の録画開始時刻に到達した場合、放送受信部４６を起動させる。なお、放送受信部４６は、受信制御部４５ｉによる制御に基づいて間欠的に動作する。放送受信部４６は、受信制御部４５ｉによる起動制御に基づいて起動し、録画予約された番組を受信する。
【００４９】
したがって、携帯電話機１は、番組録画装置を利用して番組の録画を行うことができる。
【００５０】
なお、上記の番組録画装置は、ユーザが番組の視聴中に手動で録画開始及び録画終了の操作を行うマニュアル録画と、ユーザが予め録画したい番組の録画設定（放送局、録画開始時間及び録画終了時間等の設定）の操作を行うマニュアル予約録画とを行うことができる。
【００５１】
次に、マニュアル予約録画を行う場合における録画データの生成パターンについて説明する。
図４は、録画スケジュールを説明する図である。図５は、マニュアル予約録画を行う場合の録画データ生成パターンを説明する図である。
【００５２】
図４に示す録画スケジュールは、時間的に連続して、番組Ａ、番組Ｂ及び番組Ｃがこの順に放送される場合において、マニュアル予約録画により、番組Ａの一部と、番組Ｂの全部と、番組Ｃの一部とを録画するようになっている。なお、番組Ａの放送時間をＴａ、番組Ｂの放送時間をＴｂ、番組Ｃの放送時間をＴｃとする。また、マニュアル予約録画が開始される時間をａ、番組Ｂの放送が開始される時間をｂ、番組Ｃの放送が開始される時間をｃ、マニュアル予約録画が終了する時間をｄとする。さらに、マニュアル予約録画が行われている時間（時間ａと時間ｄとの間の時間）を録画時間とする。
【００５３】
このような録画スケジュールにおいて、判定部４５ｃは、図５に示すように、番組Ａについて、番組録画時間の番組放送時間に対する割合を判定する。すなわち、判定部４５ｃは、番組Ａの録画時間（ｂ−ａ）が、番組Ａの放送時間Ｔａに対する所定割合（最小録画時間割合Ｒ）の時間（Ｔａ×Ｒ）以上であるか否か判定を行う。記憶制御部４５ｄは、判定部４５ｃにより（Ｔａ×Ｒ）≦（ｂ−ａ）と判定される場合、録画される番組Ａのデータを一つの録画データとして第１記憶部４４ａに記憶する。
【００５４】
設定部４５ｅは、判定部４５ｃにより、番組Ａの録画時間が番組Ａの放送時間に対する所定割合の時間以上ではない（（Ｔａ×Ｒ）＞（ｂ−ａ））と判定される場合、番組Ａの録画時間（ｂ−ａ）が所定の最小録画時間α以上となるか否か判定する。設定部４５ｅは、α≦（ｂ−ａ）と判定する場合、判定部４５ｃによる判定結果にかかわらず録画される番組Ａのデータを一つの録画データとして設定する。この場合、記憶制御部４５ｄは、設定部４５ｅにより設定された一つの録画データを第１記憶部４４ａに記憶する。一方、設定部４５ｅは、α＞（ｂ−ａ）と判定する場合、録画される番組Ａのデータを一つの録画データとして設定しない。この場合、結合部４５ｆは、番組Ａのデータ他の番組のデータ（図４，５に示す場合では、番組Ｂのデータ）に結合させる。
【００５５】
また、判定部４５ｃは、番組Ｂについて、番組Ａの場合と同様の判定を行う。図４に示す録画スケジュールでは、番組Ｂの全てが録画されるので、判定部４５ｃは、（Ｔｂ×Ｒ）≦（ｃ−ｂ）と判定する。したがって、記憶制御部４５ｄは、録画される番組Ｂのデータを一つの録画データとして第１記憶部４４ａに記憶する。
【００５６】
また、判定部４５ｃは、番組Ｃについて、番組Ａの場合と同様に、番組録画時間の番組放送時間に対する割合を判定する。記憶制御部４５ｄは、判定部４５ｃにより（Ｔｃ×Ｒ）≦（ｄ−ｃ）と判定される場合、録画される番組Ｃのデータを一つの録画データとして第１記憶部４４ａに記憶する。
【００５７】
設定部４５ｅは、判定部４５ｃにより、番組Ｃの録画時間が番組Ｃの放送時間に対する所定割合の時間以上ではない（（Ｔｃ×Ｒ）＞（ｄ−ｃ））と判定される場合、番組Ｃの録画時間（ｄ−ｃ）が所定の最小録画時間α以上となるか否か判定する。設定部４５ｅは、α≦（ｄ−ｃ）と判定する場合、判定部４５ｃによる判定結果にかかわらず録画される番組Ｃのデータを一つの録画データとして設定する。この場合、記憶制御部４５ｄは、設定部４５ｅにより設定された一つの録画データを第１記憶部４４ａに記憶する。一方、設定部４５ｅは、α＞（ｄ−ｃ）と判定する場合、録画される番組Ｃのデータを一つの録画データとして設定しない。この場合、結合部４５ｆは、番組Ｃのデータを他の番組のデータ（図４，５に示す場合では、番組Ｂのデータ）に結合させる。
【００５８】
次に、図６を参照しながら、携帯電話機１の動作について説明する。
図６は、マニュアル予約録画を行う場合の携帯電話機１の動作を示すフローチャートである。
【００５９】
まず、ステップＳ１０１において、制御部４５は、放送受信部４６によって受信される番組の録画処理を行う。
【００６０】
ステップＳ１０２において、制御部４５は、イベントの判断を行う。イベントが番組の終了であった場合には、ステップＳ１０３に進む。イベントが録画終了時間であった場合には、ステップＳ１１６に進む。
【００６１】
ステップＳ１０３において、判定部４５ｃは、録画時間率の判定を行う。すなわち、判定部４５ｃは、番組の番組録画時間Ｔｒがこの番組の放送時間Ｔｄに対する所定割合（最小録画時間割合Ｒ）の時間以上であるか否かを判定する。（Ｔｄ×Ｒ）＞Ｔｒと判定される場合には、ステップＳ１０４に進む。（Ｔｄ×Ｒ）≦Ｔｒと判定される場合には、ステップＳ１０８に進む。
【００６２】
ステップＳ１０４において、設定部４５ｅは、録画時間の判定を行う。すなわち、設定部４５ｅは、番組録画時間Ｔｒが所定の最小録画時間α以上となるか否か判定を行う。α＞Ｔｒと判定される場合には、ステップＳ１０５に進む。α≦Ｔｒと判定される場合には、ステップＳ１０８に進む。
【００６３】
ステップＳ１０５において、制御部４５は、ユーザにより予め設定される、番組データを削除するか否かの情報を参照して、録画された番組データを削除（消去）するか否か判断する。番組データを削除する場合（ＹＥＳ）には、ステップＳ１０６に進む。番組データを削除しない場合（ＮＯ）には、ステップＳ１０７に進む。
【００６４】
ステップＳ１０６において、削除部４５ｇは、番組データを削除する。
ステップＳ１０７において、結合部４５ｆは、番組データを他の番組データと結合させて、一つの録画データを生成する。
【００６５】
ステップＳ１０８において、制御部４５は、次の番組が録画対象最終番組であるか否か判定を行う。すなわち、制御部４５は、次の番組がマニュアル予約録画される録画時間内における最終番組であるか否か判定を行う。次の番組が録画対象最終番組である場合（ＹＥＳ）には、ステップＳ１０９に進む。次の番組が録画対象最終番組ではない場合（ＮＯ）には、ステップＳ１１４に進む。
【００６６】
ステップＳ１０９において、判定部４５ｃは、録画時間率の判定を行う。すなわち、判定部４５ｃは、番組の番組録画時間Ｔｒがこの番組の放送時間Ｔｄに対する所定割合（最小録画時間割合Ｒ）の時間以上であるか否かを判定する。（Ｔｄ×Ｒ）＞Ｔｒと判定される場合には、ステップＳ１１０に進む。（Ｔｄ×Ｒ）≦Ｔｒと判定される場合には、ステップＳ１１４に進む。
【００６７】
ステップＳ１１０において、設定部４５ｅは、録画時間の判定を行う。すなわち、設定部４５ｅは、番組録画時間Ｔｒが所定の最小録画時間α以上となるか否か判定を行う。α＞Ｔｒと判定される場合には、ステップＳ１１１に進む。α≦Ｔｒと判定される場合には、ステップＳ１１４に進む。
【００６８】
ステップＳ１１１において、制御部４５は、ユーザにより予め設定される、番組データを削除するか否かの情報を参照して、録画された番組データを削除するか否かの判定を行う。番組データを削除する場合（ＹＥＳ）には、ステップＳ１１２に進む。番組データを削除しない場合（ＮＯ）には、ステップＳ１１３に進む。
【００６９】
ステップＳ１１２において、削除部４５ｇは、番組データを削除（消去）する。
ステップＳ１１３において、結合部４５ｆは、番組データを、一つ前の他の番組データに結合させて、一つの録画データを生成する。
【００７０】
ステップＳ１１４において、記憶制御部４５ｄは、録画された番組データを一つの録画データとして第１記憶部４４ａに保存する。
【００７１】
ステップＳ１１５において、制御部４５は、録画処理を継続する。
【００７２】
ステップＳ１１６において、記憶制御部４５ｄは、録画データを第１記憶部４４ａに保存する。
【００７３】
次に、マニュアル録画を行う場合における録画データの生成パターンについて説明する。
図７は、マニュアル録画を行う場合の録画データ生成パターンを説明する図である。
【００７４】
録画スケジュールは、図４に示す場合と同様である。すなわち、録画スケジュールは、時間的に連続して、番組Ａ、番組Ｂ及び番組Ｃがこの順に放送される場合において、番組Ａの一部と、番組Ｂの全部と、番組Ｃの一部とが録画されるようにマニュアル録画が行われる。
【００７５】
図７に示すように、判定部４５ｃは、番組Ａについて、番組録画時間の番組放送時間に対する割合を判定する。すなわち、判定部４５ｃは、番組Ａの録画時間（ｂ−ａ）が、番組Ａの放送時間Ｔａに対する所定割合（最小録画時間割合Ｒ）の時間（Ｔａ×Ｒ）以上であるか否か判定を行う。記憶制御部４５ｄは、判定部４５ｃにより（Ｔａ×Ｒ）≦（ｂ−ａ）と判定される場合、録画される番組Ａのデータを一つの録画データとして第１記憶部４４ａに記憶する。
【００７６】
設定部４５ｅは、判定部４５ｃにより、番組Ａの録画時間が番組Ａの放送時間に対する所定割合の時間以上ではない（（Ｔａ×Ｒ）＞（ｂ−ａ））と判定される場合、番組Ａの録画時間（ｂ−ａ）が所定の最小録画時間α以上となるか否か判定する。設定部４５ｅは、α≦（ｂ−ａ）と判定する場合、判定部４５ｃによる判定結果にかかわらず録画される番組Ａのデータを一つの録画データとして設定する。この場合、記憶制御部４５ｄは、設定部４５ｅにより設定された一つの録画データを第１記憶部４４ａに記憶する。一方、設定部４５ｅは、α＞（ｂ−ａ）と判定する場合、録画される番組Ａのデータを一つの録画データとして設定しない。この場合、結合部４５ｆは、番組Ａのデータを他の番組のデータ（図７に示す場合では、番組Ｂのデータ）に結合させる。
【００７７】
番組Ｂについては、判定部４５ｃ及び設定部４５ｅにより、それぞれ番組Ａの場合と同様の処理が行われる。
【００７８】
番組Ｃについては、番組Ａの場合と同様の判定が行われ、一つの録画データと認識されなくても、ユーザ設定によって削除しないように設定されていれば、録画データとして第１記憶部４４ａに記憶される。
【００７９】
次に、図８を参照しながら、携帯電話機１の動作について説明する。
図８は、マニュアル録画を行う場合の携帯電話機１の動作を示すフローチャートである。
【００８０】
まず、ステップＳ２０１において、制御部４５は、放送受信部４６によって受信される番組の録画処理を行う。
【００８１】
ステップＳ２０２において、制御部４５は、イベントの判断を行う。イベントが番組の終了であった場合には、ステップＳ２０３に進む。イベントがユーザ操作による録画終了であった場合には、ステップＳ２１０に進む。
【００８２】
ステップＳ２０３において、判定部４５ｃは、録画時間率の判定を行う。すなわち、判定部４５ｃは、番組の番組録画時間Ｔｒがこの番組の放送時間Ｔｄに対する所定割合（最小録画時間割合Ｒ）の時間以上であるか否かを判定する。（Ｔｄ×Ｒ）＞Ｔｒと判定される場合には、ステップＳ２０４に進む。（Ｔｄ×Ｒ）≦Ｔｒと判定される場合には、ステップＳ２０８に進む。
【００８３】
ステップＳ２０４において、設定部４５ｅは、録画時間の判定を行う。すなわち、設定部４５ｅは、番組録画時間Ｔｒが所定の最小録画時間α以上となるか否か判定を行う。α＞Ｔｒと判定される場合には、ステップＳ２０５に進む。α≦Ｔｒと判定される場合には、ステップＳ２０８に進む。
【００８４】
ステップＳ２０５において、制御部４５は、ユーザにより予め設定される、番組データを削除するか否かの情報を参照して、録画された番組データを削除（消去）するか否かの判定を行う。番組データを削除する場合（ＹＥＳ）には、ステップＳ２０６に進む。番組データを削除しない場合（ＮＯ）には、ステップＳ２０７に進む。
【００８５】
ステップＳ２０６において、削除部４５ｇは、番組データを削除（消去）する。
ステップＳ２０７において、結合部４５ｆは、番組データを他の番組データと結合させて、一つの録画データを生成する。
【００８６】
ステップＳ２０８において、記憶制御部４５ｄは、録画された番組データを一つの録画データとして第１記憶部４４ａに保存する。
【００８７】
ステップＳ２０９において、制御部４５は、録画処理を継続する。
【００８８】
ステップＳ２１０において、制御部４５は、録画された最終番組が１番組として成立しているか否か判定する。すなわち、判定部４５ｃは、最終番組についてステップＳ２０３と同様の判定を行う。また、設定部４５ｅは、最終番組についてＳ２０４と同様の判定を行う。録画された最終番組が１番組として不成立の場合、すなわち、最終番組について、判定部４５ｃにより（Ｔｄ×Ｒ）＞Ｔｒと判定され、設定部４５ｅによりα＞Ｔｒと判定される場合には、ステップＳ２１１に進む。録画された番組が１番組として成立する場合、すなわち、最終番組について、判定部４５ｃにより（Ｔｄ×Ｒ）≦Ｔｒと判定され、設定部４５ｅによりα≦Ｔｒと判定される場合には、ステップＳ２１３に進む。
【００８９】
ステップＳ２１１において、制御部４５は、ユーザにより予め設定される、番組データを削除するか否かの情報を参照して、録画された最終番組のデータを削除（消去）するか否かの判定を行う。番組データを削除する場合（ＹＥＳ）には、ステップＳ２１２に進む。番組データを削除しない場合（ＮＯ）には、ステップＳ２１３に進む。
【００９０】
ステップＳ２１２において、削除部４５ｇは、番組データを削除（消去）する。
ステップＳ２１３において、記憶制御部４５ｄは、録画データを第１記憶部４４ａに保存する。
【００９１】
なお、本発明は上記実施形態に限定されるものではなく、本発明の目的を達成できる範囲での変形、改良等は本発明に含まれる。
上記の実施形態では、携帯端末の一例である携帯電話機１に番組録画装置が搭載される場合について説明したが、これに限定されることはない。すなわち、番組録画装置が搭載される携帯端末は、例えば、ＰＤＡ（Ｐｅｒｓｏｎａｌ  Ｄｉｇｉｔａｌ  Ａｓｓｉｓｔａｎｔ）、ノートパソコン等であってもよい。
また、番組録画装置は、携帯端末に搭載されるばかりでなく、例えば、光ディスクレコーダやハードディスクレコーダ等の電子機器に搭載されてもよい。
【符号の説明】
【００９２】
１  携帯電話機（携帯端末）
４４ａ  第１記憶部
４５    制御部
４５ａ  分割部
４５ｂ  取得部
４５ｃ  判定部
４５ｄ  記憶制御部
４６    放送受信部
【図１】
0005484829.tif 000002
【図２】
0005484829.tif 000003
【図３】
0005484829.tif 000004
【図４】
0005484829.tif 000005
【図５】
0005484829.tif 000006
【図６】
0005484829.tif 000007
【図７】
0005484829.tif 000008
【図８】
0005484829.tif 000009